(57)【要約】【課題】中皿を収容部から容易に取り外す。【解決手段】内容物が収容される中皿１１と、中皿の上端開口縁を支持する支持突部１２が形成された支持リング１３と、支持リングに上ヒンジ部１４を介して連結され、中皿を開放可能に覆う上蓋１５と、支持リングに下ヒンジ部を介して連結され、中皿を収容する収容部１７を有する有底筒状の容器本体１８と、を備え、上蓋および支持リングに、着脱可能に係合した第１上係合部１９、および第２上係合部２０が各別に設けられ、容器本体および支持リングに、着脱可能に係合した第１下係合部２１、および第２下係合部２２が各別に設けられている。【選択図】図２
2020162795.tif 000002
【特許請求の範囲】
【請求項１】
内容物が収容される中皿と、
前記中皿の上端開口縁を支持する支持突部が形成された支持リングと、
前記支持リングに上ヒンジ部を介して連結され、前記中皿を開放可能に覆う上蓋と、
前記支持リングに下ヒンジ部を介して連結され、前記中皿を収容する収容部を有する有底筒状の容器本体と、を備え、
前記上蓋および前記支持リングに、着脱可能に係合した第１上係合部、および第２上係合部が各別に設けられ、
前記容器本体および前記支持リングに、着脱可能に係合した第１下係合部、および第２下係合部が各別に設けられている、コンパクト容器。
【請求項２】
前記容器本体の周壁部の外周面に指当て凹部が形成され、
前記上蓋に、前記指当て凹部を径方向の外側から覆う被覆壁が設けられている、請求項１に記載のコンパクト容器。
【請求項３】
前記上ヒンジ部、および前記下ヒンジ部それぞれの周方向の位置は、互いに異なっており、
前記指当て凹部は、前記容器本体の周壁部において、前記下ヒンジ部が配設されている周方向の位置に対して径方向で対向する部分の外周面に配設されている、請求項２に記載のコンパクト容器。
【請求項４】
前記第１下係合部と前記第２下係合部との係合を解除するのに要する、前記容器本体に加える前記下ヒンジ部回りの引き下げ力は、前記第１上係合部と前記第２上係合部との係合を解除するのに要する、前記上蓋に加える前記上ヒンジ部回りの引き上げ力より大きい、請求項１から３のいずれか１項に記載のコンパクト容器。
【発明の詳細な説明】
【技術分野】
【０００１】
本発明は、コンパクト容器に関するものである。
【背景技術】
【０００２】
従来から、例えば下記特許文献１に示されるような、内容物が収容される中皿と、中皿が収容される収容部を備えた容器本体と、収容部を開放可能に閉塞する上蓋と、を備えたコンパクト容器が知られている。
【先行技術文献】
【特許文献】
【０００３】
【特許文献１】実開平６−１３７０８号公報
【発明の概要】
【発明が解決しようとする課題】
【０００４】
しかしながら、前記従来のコンパクト容器では、例えば分別廃棄等のために、中皿を収容部から取り外す際の操作性について改善の余地があった。
【０００５】
本発明は、このような事情を考慮してなされたもので、中皿を収容部から容易に取り外すことができるコンパクト容器を提供することを目的とする。
【課題を解決するための手段】
【０００６】
上記課題を解決して、このような目的を達成するために、本発明のコンパクト容器は、内容物が収容される中皿と、前記中皿の上端開口縁を支持する支持突部が形成された支持リングと、前記支持リングに上ヒンジ部を介して連結され、前記中皿を開放可能に覆う上蓋と、前記支持リングに下ヒンジ部を介して連結され、前記中皿を収容する収容部を有する有底筒状の容器本体と、を備え、前記上蓋および前記支持リングに、着脱可能に係合した第１上係合部、および第２上係合部が各別に設けられ、前記容器本体および前記支持リングに、着脱可能に係合した第１下係合部、および第２下係合部が各別に設けられている。
【０００７】
この発明によれば、収容部に収容された中皿の上端開口縁が、支持突部により支持されていて、中皿が、支持突部と容器本体の底壁の上面とにより上下方向に挟まれているので、中皿を容器本体に接着しなくても、中皿を収容部に強固に固定しやすくすることができる。
容器本体を下ヒンジ部回りに下方に引き下げ、第１下係合部と第２下係合部との係合を解除すると、容器本体が支持突部から離間し、中皿を、支持リングおよび容器本体に対して分離することが可能になり、中皿を容器本体の収容部から容易に取り外すことができる。
このように、容器本体を下ヒンジ部回りに下方に引き下げて、第１下係合部と第２下係合部との係合を解除することで、中皿が収容部から取り外せることから、中皿を収容部から取り外すときに要する力が、中皿に対する支持突部の係合力に依存しないので、この係合力を大きくして、中皿を収容部に対して強く固定しても、中皿が収容部から取り外しにくくなるのを防ぐことができる。
【０００８】
ここで、前記容器本体の周壁部の外周面に指当て凹部が形成され、前記上蓋に、前記指当て凹部を径方向の外側から覆う被覆壁が設けられてもよい。
【０００９】
この場合、容器本体の周壁部の外周面に指当て凹部が形成されているので、指当て凹部の内面に指を引っ掛けて、容器本体を下ヒンジ部回りに下方に引き下げることが可能になり、第１下係合部と第２下係合部との係合を容易に解除することができる。
上蓋に、指当て凹部を径方向の外側から覆う被覆壁が設けられているので、上蓋を上ヒンジ部回りに上方に向けて回転させて開かない限り、指当て凹部を被覆壁で覆っておくことが可能になり、誤って容器本体が下ヒンジ部回りに回転し第１下係合部と第２下係合部との係合が解除されるのを抑制することができる。
【００１０】
また、前記上ヒンジ部、および前記下ヒンジ部それぞれの周方向の位置は、互いに異なっており、前記指当て凹部は、前記容器本体の周壁部において、前記下ヒンジ部が配設されている周方向の位置に対して径方向で対向する部分の外周面に配設されてもよい。
【００１１】
この場合、上ヒンジ部、および下ヒンジ部それぞれの周方向の位置が、互いに異なっているので、上蓋を開けるときに、支持リングが下ヒンジ部回りに上方に向けて供回りするのを抑制することができる。
指当て凹部が、容器本体の周壁部において、下ヒンジ部が配設されている周方向の位置に対して径方向で対向する部分の外周面に配設されているので、指当て凹部の内面に指を引っ掛けて、容器本体を下ヒンジ部回りに下方に引き下げたときに、容器本体を下ヒンジ部回りに円滑に下方に向けて回転させることが可能になり、中皿を容器本体の収容部から取り外す際の操作性を向上させることができる。
【００１２】
また、前記第１下係合部と前記第２下係合部との係合を解除するのに要する、前記容器本体に加える前記下ヒンジ部回りの引き下げ力は、前記第１上係合部と前記第２上係合部との係合を解除するのに要する、前記上蓋に加える前記上ヒンジ部回りの引き上げ力より大きくてもよい。
【００１３】
この場合、第１下係合部と第２下係合部との係合を解除するのに要する、容器本体に加える下ヒンジ部回りの引き下げ力が、第１上係合部と第２上係合部との係合を解除するのに要する、上蓋に加える上ヒンジ部回りの引き上げ力より大きいので、誤って容器本体が下ヒンジ部回りに回転し第１下係合部と第２下係合部との係合が解除されるのを確実に抑制することができる。
【発明の効果】
【００１４】
本発明によれば、中皿を収容部から容易に取り外すことができる。
【図面の簡単な説明】
【００１５】
【図１】本発明に係る一実施形態として示したコンパクト容器の上面図である。
【図２】図１のＩＩ−ＩＩ線矢視断面図である。
【図３】図１のＩＩＩ−ＩＩＩ線矢視断面図である。
【図４】図２のコンパクト容器において、上蓋を開いた状態を示す図である。
【図５】図１〜図４に示すコンパクト容器の、上蓋、支持リング、および容器本体の展開図である。
【図６】図５のＶＩ−ＶＩ線矢視断面図である。
【発明を実施するための形態】
【００１６】
以下、図面を参照し、本発明の一実施形態に係るコンパクト容器１について説明する。
本実施形態のコンパクト容器１は、図１から図６に示されるように、内容物が収容される中皿１１と、支持リング１３と、上蓋１５と、中皿１１を収容する収容部１７を有する容器本体１８と、を備えている。
【００１７】
中皿１１、および容器本体１８は有底筒状に形成され、上蓋１５は有頂筒状に形成され、中皿１１、支持リング１３、上蓋１５、および容器本体１８は、共通軸と同軸に配設されている。以下、この共通軸を中心軸線Ｏといい、中心軸線Ｏに沿う軸方向から見て、中心軸線Ｏに交差する方向を径方向といい、中心軸線Ｏ回りに周回する方向を周方向という。軸方向のうち、収容部１７に対して上蓋１５側を上側といい、容器本体１８の底壁１８ａ側を下側という。
【００１８】
中皿１１は、金属材料により扁平な有底筒状に形成されている。中皿１１が、金属材料により形成されているので、収容される内容物の種類や内容物が含有する成分等によらず、多くの種類の内容物を収容することができる。中皿１１は、容器本体１８に対して非接着状態で収容部１７に収容されている。
なお、中皿１１は、金属材料に限らず例えば、合成樹脂材料等の他の材質で形成されてもよい。
【００１９】
容器本体１８は、例えば合成樹脂材料等により扁平な有底筒状に形成されている。容器本体１８の底壁１８ａの上面に、中皿１１が配置されている。
容器本体１８の周壁部２３の内周面に、全周にわたって連続して延びる環状溝１８ｂが形成されている。環状溝１８ｂは、容器本体１８の上端開口縁に開口している。環状溝１８ｂの内面のうち、径方向の内側を向く面に、径方向の内側に向けて突出した第１下係合部２１が形成されている。第１下係合部２１は、環状溝１８ｂの内面のうちの径方向の内側を向く面の上端部に形成されている。図６に示されるように、第１下係合部２１は、周方向の全長にわたって連続して延びている。
図３、図５、および図６に示されるように、容器本体１８は、支持リング１３に下ヒンジ部１６を介して連結されている。
【００２０】
支持リング１３は、容器本体１８の上端開口縁に配置されている。
支持リング１３には、下方に向けて突出し、容器本体１８の環状溝１８ｂに挿入された装着筒部２７が形成されている。装着筒部２７の内周面、および容器本体１８の周壁部２３の内周面それぞれの径方向の位置は、互いに同等になっている。装着筒部２７の外周面に、径方向の外側に向けて突出した第２下係合部２２が形成されている。第２下係合部２２は、容器本体１８の第１下係合部２１に着脱可能に係合している。第２下係合部２２は、第１下係合部２１に着脱可能にアンダーカット嵌合している。
【００２１】
支持リング１３には、径方向の内側に向けて突出し、中皿１１の上端開口縁を支持する支持突部１２が形成されている。支持突部１２は、支持リング１３の上端部に形成されている。支持突部１２は、周方向の全長にわたって連続して延びている。支持突部１２の表面のうちの下方を向く平坦な下面が、中皿１１の上端開口縁に当接している。これにより、中皿１１は、支持突部１２の下面と、容器本体１８の底壁１８ａの上面と、により軸方向に挟まれている。
【００２２】
支持リング１３の内周面に、径方向の内側に向けて突出した支持リブ１３ａが、周方向に間隔をあけて複数形成されている。支持リブ１３ａの上端部は、支持突部１２の下面に接続されている。支持リブ１３ａの径方向の内端縁は、支持突部１２の径方向の内端縁より径方向の外側に位置している。支持リブ１３ａの径方向の内端縁の下端部は、下方に向かうに従い、径方向の外側に向けて延びている。支持リブ１３ａの径方向の内端縁は、中皿１１の外周面に当接、若しくは近接している。支持リブ１３ａは、中皿１１を支持リング１３の内側に挿入するときに、支持リング１３に対する中皿１１の径方向の位置を決める。
支持リング１３には、上方に向けて突出し、周方向の全長にわたって連続して延びるシール筒２６が形成されている。シール筒２６に、上蓋１５が着脱可能に外嵌している。
【００２３】
上蓋１５は、中皿１１を開放可能に覆い、例えば合成樹脂材料等により扁平な有頂筒状に形成されている。図２、図４、および図５に示されるように、上蓋１５は、上ヒンジ部１４を介して支持リング１３に連結されている。容器本体１８、支持リング１３、上蓋１５、上ヒンジ部１４、および下ヒンジ部１６は、一体に形成されている。
【００２４】
上ヒンジ部１４、および下ヒンジ部１６は、容器本体１８、支持リング１３、および上蓋１５より薄肉に形成されて折曲変形可能となっている。なお、上ヒンジ部１４、および下ヒンジ部１６の各構成を互いに異ならせてもよい。上ヒンジ部１４、および下ヒンジ部１６として、例えばバタフライヒンジ等の他の構成を採用してもよい。
【００２５】
上ヒンジ部１４、および下ヒンジ部１６それぞれの周方向の位置は、互いに異なっている。図示の例では、上ヒンジ部１４、および下ヒンジ部１６は、中心軸線Ｏを中心に９０°ずれて配設されている。上蓋１５の頂壁の下面と、中皿１１の上端開口と、の間に、例えばパフ等の塗布具Ｗが収容されている。
【００２６】
上蓋１５の周壁に、径方向の外側に向けて突出した蓋操作突片１５ａが形成され、支持リング１３の外周面に、径方向の外側に向けて突出したリング操作突片１３ｂが形成されている。蓋操作突片１５ａ、およびリング操作突片１３ｂは、上蓋１５の周壁、および支持リング１３それぞれにおいて、上ヒンジ部１４が配設されている周方向の位置に対して径方向で対向する部分の外周面に各別に配設されている。蓋操作突片１５ａ、およびリング操作突片１３ｂそれぞれにおいて、周方向の端部のみが軸方向で重なり合っている。
【００２７】
支持リング１３の外周面において、リング操作突片１３ｂに周方向で隣接する部分に、径方向の外側に向けて突出した第１上係合部１９が形成されている。蓋操作突片１５ａに、第１上係合部１９に着脱可能に係合した第２上係合部２０が形成されている。第２上係合部２０は、第１上係合部１９に着脱可能にアンダーカット嵌合している。
【００２８】
そして、第１下係合部２１と第２下係合部２２との係合を解除するのに要する、容器本体１８に加える下ヒンジ部１６回りの引き下げ力が、第１上係合部１９と第２上係合部２０との係合を解除するのに要する、上蓋１５に加える上ヒンジ部１４回りの引き上げ力より大きくなっている。
【００２９】
ここで、図３、および図６に示されるように、容器本体１８の周壁部２３の外周面に、指当て凹部２４が形成されている。指当て凹部２４は、容器本体１８の上端開口縁に開口している。指当て凹部２４は、径方向の外側を向く主面２４ｂと、周方向で互いに向き合う一対の側面と、下端に位置して上方を向く指当て面２４ａと、により画成され、指当て面２４ａは、径方向の内側に向かうに従い、上方に向けて延びるとともに、凹曲面状に形成されている。指当て凹部２４は、容器本体１８の周壁部２３において、下ヒンジ部１６が配設されている周方向の位置に対して径方向で対向する部分の外周面に配設されている。
【００３０】
支持リング１３において、指当て凹部２４の上端開口に軸方向で対向する部分に、軸方向に貫き、指当て凹部２４の上端開口に向けて開口した連通孔１３ｃ形成されている。連通孔１３ｃは、径方向の外側に向けて開口している。連通孔１３ｃ、および指当て凹部２４それぞれの周方向の大きさは互いに同等になっている。
なお、連通孔１３ｃとして、径方向の外側に向けて開口せず、単に支持リング１３を軸方向に貫く構成を採用してもよい。
【００３１】
上蓋１５に、指当て凹部２４を径方向の外側から覆う被覆壁２５が設けられている。被覆壁２５は、上蓋１５の周壁の下端開口縁から下方に向けて突出している。被覆壁２５は、支持リング１３の連通孔１３ｃに差し込まれて、指当て凹部２４の指当て面２４ａに当接、若しくは近接している。被覆壁２５は、指当て凹部２４の主面２４ｂから径方向の外側に離間している。被覆壁２５は、指当て面２４ａにおける径方向の外端部に当接、若しくは近接しており、指当て面２４ａを含む指当て凹部２４のほぼ全域を覆っている。
【００３２】
以上の構成において、蓋操作突片１５ａを引き上げると、上蓋１５が上ヒンジ部１４回り上方に向けて回転し、第１上係合部１９と第２上係合部２０との係合が解除され、収容部１７が開放される。この際、被覆壁２５が、連通孔１３ｃおよび指当て凹部２４から離脱され、指当て凹部２４が開放される。
【００３３】
そして、例えば中皿１１の内容物を使い切った場合等には、上蓋１５を開いた状態で、指当て凹部２４の指当て面２４ａに指を引っ掛けて、容器本体１８を下ヒンジ部１６回りに下方に引き下げる。これにより、第１下係合部２１と第２下係合部２２との係合が解除され、容器本体１８が支持突部１２から離間し、中皿１１を、支持リング１３および容器本体１８に対して分離することができる。
【００３４】
以上説明したように、本実施形態によるコンパクト容器１によれば、収容部１７に収容された中皿１１の上端開口縁が、支持突部１２により支持されていて、中皿１１が、支持突部１２と容器本体１８の底壁１８ａの上面とにより軸方向に挟まれているので、中皿１１を容器本体１８に接着しなくても、中皿１１を収容部１７に強固に固定しやすくすることができる。
【００３５】
容器本体１８を下ヒンジ部１６回りに下方に引き下げ、第１下係合部２１と第２下係合部２２との係合を解除すると、容器本体１８が支持突部１２から離間し、中皿１１を、支持リング１３および容器本体１８に対して分離することが可能になり、中皿１１を容器本体１８の収容部１７から容易に取り外すことができる。
【００３６】
このように、容器本体１８を下ヒンジ１６部回りに下方に引き下げて、第１下係合部２１と第２下係合部２２との係合を解除することで、中皿１１が収容部１７から取り外せることから、中皿１１を収容部１７から取り外すときに要する力が、中皿１１に対する支持突部１２の係合力に依存しないので、この係合力を大きくして、中皿１１を収容部１７に対して強く固定しても、中皿１１が収容部１７から取り外しにくくなるのを防ぐことができる。
【００３７】
容器本体１８の周壁部２３の外周面に指当て凹部２４が形成されているので、指当て凹部２４の指当て面２４ａに指を引っ掛けて、容器本体１８を下ヒンジ部１６回りに下方に引き下げることが可能になり、第１下係合部２１と第２下係合部２２との係合を容易に解除することができる。
【００３８】
上蓋１５に、指当て凹部２４を径方向の外側から覆う被覆壁２５が設けられているので、上蓋１５を上ヒンジ部１４回りに上方に向けて回転させて開かない限り、指当て凹部２４を被覆壁２５で覆っておくことが可能になり、誤って容器本体１８が下ヒンジ部２６回りに回転し第１下係合部２１と第２下係合部２２との係合が解除されるのを抑制することができる。
【００３９】
上ヒンジ部１４、および下ヒンジ部１６それぞれの周方向の位置が、互いに異なっているので、上蓋１５を開けるときに、支持リング１３が下ヒンジ部１６回りに上方に向けて供回りするのを抑制することができる。
指当て凹部２４が、容器本体１８の周壁部２３において、下ヒンジ部１６が配設されている周方向の位置に対して径方向で対向する部分の外周面に配設されているので、指当て凹部２４の指当て面２４ａに指を引っ掛けて、容器本体１８を下ヒンジ部１６回りに下方に引き下げたときに、容器本体１８を下ヒンジ部１６回りに円滑に下方に向けて回転させることが可能になり、中皿１１を容器本体１８の収容部１７から取り外す際の操作性を向上させることができる。
【００４０】
第１下係合部２１と第２下係合部２２との係合を解除するのに要する、容器本体１８に加える下ヒンジ部１６回りの引き下げ力が、第１上係合部１９と第２上係合部２０との係合を解除するのに要する、上蓋１５に加える上ヒンジ部１４回りの引き上げ力より大きいので、誤って容器本体１８が下ヒンジ部１６回りに回転し第１下係合部２１と第２下係合部２２との係合が解除されるのを確実に抑制することができる。
【００４１】
本発明は上記した実施の形態に限定されるものではなく、その趣旨を逸脱しない範囲で適宜変更可能である。
【００４２】
例えば、容器本体１８の周壁部２３の外周面に、指当て凹部２４を形成しなくてもよく、また、上蓋１５に、指当て凹部２４を径方向の外側から覆う被覆壁２５を設けなくてもよい。
上ヒンジ部１４、および下ヒンジ部１６それぞれの周方向の位置を、互いに同等にしてもよい。
【００４３】
指当て凹部２４は、容器本体１８の周壁部２３において、下ヒンジ部１６が配設されている周方向の位置に対して径方向で対向する部分から、周方向にずれた位置に配設してもよい。
第１下係合部２１と第２下係合部２２との係合を解除するのに要する、容器本体１８に加える下ヒンジ部１６回りの引き下げ力を、第１上係合部１９と第２上係合部２０との係合を解除するのに要する、上蓋１５に加える上ヒンジ部１４回りの引き上げ力以下としてもよい。
【００４４】
その他、本発明の趣旨を逸脱しない範囲で、上記した実施の形態における構成要素を周知の構成要素に置き換えることは適宜可能であり、また、上記した変形例を適宜組み合わせてもよい。
【符号の説明】
【００４５】
１  コンパクト容器
１１  中皿
１２  支持突部
１３  支持リング
１４  上ヒンジ部
１５  上蓋
１６  下ヒンジ部
１７  収容部
１８  容器本体
１９  第１上係合部
２０  第２上係合部
２１  第１下係合部
２２  第２下係合部
２３  容器本体の周壁部
２４  指当て凹部
２５  被覆壁
【図１】
2020162795.tif 000003
【図２】
2020162795.tif 000004
【図３】
2020162795.tif 000005
【図４】
2020162795.tif 000006
【図５】
2020162795.tif 000007
【図６】
2020162795.tif 000008